(57)【要約】【課題】比較的安価に製造することができると共に、板面に備えられた文字や図柄等の案内装飾を明るく照らすことができる発光表示パネルを提供する。【解決手段】発光表示パネル１に、表面に備えられた透明な粘着部を介して後面側へ貼り付けられるカッティングシート１１、及び後面側へ点状に塗布される透光性を有した塗料１２により形成された案内装飾１０が板面に施される透明板状のパネル本体２と、パネル本体２における下端外周を保持する外周フレーム３と、外周フレーム３内に支持されパネル本体２の下端面へ向けて光を照射する複数のＬＥＤ４ａを有した照明基板４と、を具備させる。【選択図】図１
0003165525.tif 000002
【実用新案登録請求の範囲】
【請求項１】
表面に備えられた透明な粘着部を介して後面側へ貼り付けられるカッティングシート、又は、前面側又は後面側の少なくとも一方へ点状に塗布される透光性を有した塗料、の少なくとも一方により形成された案内装飾が板面に施される透明板状のパネル本体と、
該パネル本体における外周の少なくとも一部を保持する外周フレームと、
該外周フレーム内に支持され前記パネル本体の外周面へ向けて光を照射する複数のＬＥＤを有した照明基板と
を具備することを特徴とする発光表示パネル。
【請求項２】
前記パネル本体の外周面で前記照明基板と対向する位置に貼り付けられ、透光性の色彩を有した色彩シートを更に具備することを特徴とする請求項１に記載の発光表示パネル。
【考案の詳細な説明】
【技術分野】
【０００１】
本考案は、広告表示や案内表示等の電飾看板に用いられる発光表示パネルに関するものであり、特に、板面に文字や図柄等の案内装飾を備えた透明板の外周面から光を照射して案内装飾を照らし出す発光表示パネルに関するものである。
【背景技術】
【０００２】
従来より、電飾看板に用いられる発光表示パネルとしては、ガラスや樹脂等の透明板の板面に案内装飾として文字や図柄等を微細な凹凸によって形成した上で、透明板の端面から透明板内へ光を照射するようにし、微細な凹凸で光を乱反射させることで文字や図柄等を光らせるようにした表示装置が知られている（例えば、特許文献１及び特許文献２）。
【考案の概要】
【考案が解決しようとする課題】
【０００３】
しかしながら、従来の表示装置は、透明板に文字や図柄等を表示するために、サンドブラスト等を用いて微細な凹凸を形成しているので、表示装置の製造に手間がかかりコストが高くなる問題があると共に、短納期に対応することが困難であった。また、透明板に形成した微細な凹凸で光を乱反射させて文字等を光らせるようにしているので、光源からの光が乱反射することで表示装置を見る者に届く光量が少なくなり文字等の光り具合が弱い問題があると共に、微細な凹凸で乱反射させるので蓋然的に文字等が透光性を有した状態となり、表示装置の周囲の明るさによっては文字等が見辛くなる問題があった。
【０００４】
そこで、本考案は上記の実情に鑑み、比較的安価に製造することができると共に、板面に備えられた文字や図柄等の案内装飾を明るく照らすことができる発光表示パネルの提供を課題とするものである。
【課題を解決するための手段】
【０００５】
上記の課題を解決するために、本考案に係る発光表示パネルは、「表面に備えられた透明な粘着部を介して後面側へ貼り付けられるカッティングシート、又は、前面側又は後面側の少なくとも一方へ点状に塗布される透光性を有した塗料、の少なくとも一方により形成された案内装飾が板面に施される透明板状のパネル本体と、該パネル本体における外周の少なくとも一部を保持する外周フレームと、該外周フレーム内に支持され前記パネル本体の外周面へ向けて光を照射する複数のＬＥＤを有した照明基板とを具備する」ことを特徴とする。
【０００６】
ここで、「案内装飾」としては、「カッティングシートにより形成したもの」、「塗料により形成したもの」、「カッティングシート及び塗料により形成したもの」、等を例示することができる。具体的には、カッティングシートを用いた案内装飾は、カッティングシートを、表面側（文字等がそのまま読める側、意匠側）が粘着部となるように所定形状に切断したものであり、パネル本体の板面における後面側に貼り付けるものである。このカッティングシートとしては、粘着部を含めて耐水性、及び耐候性に優れた市販のものを用いれば良く、全体的に透光性を有したものを用いることが望ましい。また、色については、適宜色のカッティングシートを用いることができる。一方、塗料を用いた案内装飾は、エアブラシ等を用いて点状に塗布するものであり、パネル本体の板面における前面側又は後面側の少なくとも一方に塗布するものである。この塗料としては、「アクリル塗料」、「ウレタン塗料」、「エナメル塗料」、「ラッカー塗料」、等を例示することができ、透光性を有すると共に、環境負荷の低い水溶性の塗料を用いることが望ましい。
【０００７】
また、「パネル本体」としては、「ガラス」、「アクリル樹脂」、「アクリル樹脂」、「ポリカーボネート樹脂」、「ＡＢＳ樹脂」、「ポリプロピレン樹脂」、「ポリアリレート樹脂」、「メタクリル樹脂」、等を透明な板状に形成したものを例示することができる。また、パネル本体は、無色透明、又は、有色透明、の何れかであれば良いが、無色透明が望ましい。更に、パネル本体の外形形状としては、「三角形状」、「四角形状」、「多角形状」、「円形状」、「楕円形状」、「不定形状」、等とすることができる。更に、パネル本体としては、平面状のものでも良いし、湾曲状のものでも良い。
【０００８】
更に、外周フレームとしては、パネル本体の外周縁を保持することができるものであれば良く、アルミ等の金属の押出型材、樹脂、木材等、適宜の材料を用いることができる。
【０００９】
また、「ＬＥＤ」としては、白色ＬＥＤを用いることが望ましいが、単一の色で発光するカラーＬＥＤや、様々な色で発光可能なフルカラーＬＥＤを用いても良い。
【００１０】
本考案によると、外周フレーム内に支持された照明基板のＬＥＤを発光させると、その光がパネル本体の外周面からパネル本体内へと入射し、略平行に延びた板面（前面と後面）の間で全反射を繰返しながら入射した側とは反対側の外周面へと向かうこととなるが、板面にカッティングシートや塗装による案内装飾を備えることで、パネル本体内を進む光を案内装飾で全反射させずにパネル本体の板面を透過させて前面側へ放射させることができるので、案内装飾を明るく照らすことができ、案内装飾が目立つと共に見易い電飾看板としての発光表示パネルとすることができる。
【００１１】
また、従来のように透明なパネル本体の表面にサンドブラスト等によって微細な凹凸を形成しなくても、案内装飾として所定の形状に切断したカッティングシートを貼ったりエアブラシ等で塗料を点状に塗布したりするだけで、案内装飾を明るく照らすことができ、発光表示パネルを比較的安価に製造することができる。また、カッティングシートや塗料により案内装飾を形成しているので、従来のような透明板に凹凸を形成したものと比較して、案内装飾を周囲の照明等によっても照らし出すことができ、周囲の明るさに対する影響を少なくして案内装飾を見易くすることができる。
【００１２】
なお、本発光表示パネルを、前面側及び後面側の何れの側からも案内パネルとして用いたい場合は、案内装飾を備えた二つの発光表示パネルを、透光性の低いシートを挟んで後面同士が向かい合さるように配置すれば良い。
【００１３】
ところで、透明板状のパネル本体に対して、案内装飾としてのカッティングシートの粘着部（粘着剤）や塗料が均一な一層の状態となるように貼り付けたり塗布したりした場合、パネル本体の内部へ照射された光が、パネル本体の板面から粘着剤や塗料内へ進入することとなるが、粘着剤や塗料のパネル本体とは反対側の面が平坦な面になっていると、パネル本体の板面内側と同様に光が反射（全反射）してしまい、板面から光が放射されることは無く案内装飾がＬＥＤの光に照らされない状態となる。これに対して、カッティングシートの粘着部がパネル本体の板面に対して点状に粘着するように貼り付けたり、塗料を点状に塗布したりすることが望ましく、これにより、案内部材をＬＥＤからの光によって照らすことができ、上述した作用効果を確実に奏することができる。
【００１４】
詳述すると、カッティングシートの粘着部を点状に粘着させたり、塗料を点状に塗布したりすると、粘着部（粘着剤）や塗料におけるパネル本体の板面やカッティングシートの本体と接した部位以外の部位が、不均一な面となるので、パネル本体内へ照射された光が、粘着剤や塗料が付着した点状の部位から粘着剤や塗料の内部へと進入した上で、その不均一な面に到達すると、その面に対する入射角度に応じて様々な方向へ反射したり粘着剤や塗料の外部へ放射されたりすることとなる。そして、この点状の部位で乱反射したり乱放射されたりした光が、カッティングシートの本体や塗料を照らすこととなり、カッティングシート等の案内装飾がＬＥＤによって明るく照らされることとなるのである。
【００１５】
また、本考案に係る発光表示パネルは、上記の構成に加えて、「前記パネル本体の外周面で前記照明基板と対向する位置に貼り付けられ、透光性の色彩を有した色彩シートを更に具備する」ことを特徴としても良い。
【００１６】
ここで、「色彩シート」としては、カッティングシートと同様に、透光性を有した本体と、本体の一方の面に備えられた透明な粘着部とを備えたものを用いることができる。また、色彩シートとしては、「全体が同じ色のもの」、「グラデーションを有したもの」、「多様な色が散りばめられたもの」、等を用いることができる。
【００１７】
本考案によると、パネル本体の外周面に透光性を有した色彩シートを貼り付けるようにしているので、貼り付ける色彩シートの色を適宜変更することで、発光色の異なるＬＥＤに交換したり高価なフルカラーＬＥＤを用いたりしなくても、案内装飾を照らす照明色を簡単に変更して案内装飾を所望の色で照らすことができ、発光表示パネルに係るコストを低減させることができる。
【考案の効果】
【００１８】
上記のように本考案によると、比較的安価に製造することができると共に、板面に備えられた文字や図柄等の案内装飾を明るく照らすことができる発光表示パネルを提供することができる。
【図面の簡単な説明】
【００１９】
【図１】本考案の発光表示パネルを示す斜視図である。
【図２】図１の発光表示パネルの要部を拡大して示す断面図である。
【図３】図１の発光表示パネルにおける案内装飾を拡大して示す説明図である。
【考案を実施するための形態】
【００２０】
以下、本考案の一実施形態である発光表示パネルについて、図１乃至図３を参照して詳細に説明する。図１は、本考案の発光表示パネルを示す斜視図である。また、図２は、図１の発光表示パネルの要部を拡大して示す断面図である。更に、図３は、図１の発光表示パネルにおける案内装飾を拡大して示す説明図である。
【００２１】
本実施形態の発光表示パネル１は、広告や案内等を表示する電飾看板として屋内や屋外等で用いることができるものであり、透明で板状のパネル本体２と、パネル本体２の外周における下辺を保持する外周フレーム３と、外周フレーム３内に支持されパネル本体２における下面へ向けて光を照射する複数のＬＥＤ４ａを有した照明基板４と、照明基板４のＬＥＤ４ａと対向すると共にパネル本体２における下面に貼り付けられ透光性の色彩を有した色彩シート５と、パネル本体２の下辺に固定され外周フレーム３内で支持される支持部材６と、パネル本体２の板面に備えられ文字や図柄等からなる案内装飾１０と、を主に備えている。
【００２２】
本例の発光表示パネル１におけるパネル本体２は、板厚が５ｍｍ〜１５ｍｍの範囲内の無色透明なアクリル樹脂板を用いており、外形が矩形状に形成されている。
【００２３】
また、発光表示パネル１における外周フレーム３は、側面視の外形形状が、上端側が丸みを帯びると共に下端側が平坦となった砲弾状に形成されていると共に、同一断面形状で長尺状に形成されている。この外周フレーム３は、図２に示すように、上端中央に形成されパネル本体２を挿入可能な広さの開口部３ａと、開口部３ａの直下で底辺の上側に形成され照明基板４が支持される基板支持部３ｂと、基板支持部３ｂと開口部３ａとの間で開口部３ａよりも前後方向（図２では、紙面の左右方向）外側に形成されパネル本体２の下辺に固定された支持部材６の一部が挿入される支持溝３ｃと、支持溝３ｃの上側に配置されビス等を螺合可能とされた止孔部３ｄと、を備えている。
【００２４】
この外周フレーム３は、図示するように、支持溝３ｃ及び止孔部３ｄが、開口部３ａの中央を通る上下方向へ延びた軸線に対して対象に形成されており、何れの向きでもパネル本体２を保持することができるようになっている。なお、本例の外周フレーム３は、パネル本体２の下辺の長さよりもよりも若干長く切断したアルミの押出型材を用いている。
【００２５】
更に、発光表示パネル１の照明基板４は、公知の素材によって帯板状に形成されており、外周フレーム３の長さよりも若干短い長さとされ、上面に所定間隔で複数のＬＥＤ４ａが実装されている。照明基板４のＬＥＤ４ａは、本例では高輝度の白色ＬＥＤとされている。また、図示は省略するが、照明基板４には、ＬＥＤ４ａの他に、抵抗器やコンデンサ等の電子回路を構成する電子部品が備えられている。この照明基板４は、適宜方法により外周フレーム３内の基板支持部３ｂに取付けられている。
【００２６】
また、発光表示パネル１の色彩シート５は、一方の面に粘着部を備えた透光性を有する樹脂シートとされており、粘着部によりパネル本体２の下端面に貼り付けられている。本例では、色彩シート５として青色のカッティングシートを用いており、このカッティングシートは、後述する案内装飾１０としてのカッティングシート１１と同種のものである。
【００２７】
更に、発光表示パネル１の支持部材６は、図２に示すように、所定長さの長片６ａの下端から、長片６ａよりも短い短片６ｂが直角方向へ延びだした略Ｌ字状の部材とされている。また、支持部材６は、短片６ｂがパネル本体２の下端付近からパネル本体２の板面に対して直角方向へ延びるように、長片６ａがパネル本体２に接着固定されている。この支持部材６は、パネル本体３に接着固定した状態で短片６ｂの先端を、外周フレーム３の支持溝３ｃ内へ挿入することで、パネル本体３を外周フレーム３に対して所定位置に支持することができるようになっている。本例では、支持部材６が、アルミの型材とされており、パネル本体２の下辺と略同じ長さとされている。
【００２８】
また、発光表示パネル１の案内装飾１０は、パネル本体２の後面側に備えられており、図１に示すように、パネル本体２の外周に沿った矩形枠状の図柄と中央に配置された文字を形成しているカッティングシート１１と、カッティングシート１１の文字の周りに配置された星型の図柄を形成している塗料１２と、で構成されている。本例の案内装飾１０としてのカッティングシート１１は、透光性を有した本体１１ａと、本体１１ａの一方の面に備えられた透明な粘着部１１ｂとを備えており、本例では、粘着部１１ｂ側が文字や図柄等の表面となるようにカッティングシート１１が切断されている（図３（ａ）等を参照）。一方、案内装飾１０としての塗料１２は、透光性を有しており、エアブラシを用いて点状に塗布されている（図３（ｂ）等を参照）。なお、本例では、カッティングシート１１は、本体１１ａの色が白色のものを用いており、東洋インキ株式会社のダイナカル（登録商標）サインＤＳシリーズのものを用いている。また、塗料１２は、白色のアクリル塗料を用いている。
【００２９】
なお、本例の発光表示パネル１は、外周フレーム３の長手方向両端を覆うカバー７を更に備えている。このカバー７は、図示は省略するが、外周フレーム３の止孔部３ｄを利用して外周フレーム３の長手方向端部に取付けられている。また、発光表示パネル１は、図示は省略するが、ＬＥＤ４ａを発光させる電力を供給するための電源部を備えている。なお、電源としては、市販の電力を用いても良いし、電池や蓄電、太陽電池等を用いても良く、用いる電源に応じた電源部を備えることができる。
【００３０】
本実施形態の発光表示パネル１は、透明板状のパネル本体２の後面側に、案内装飾１０としてのカッティングシート１１を貼り付けると共に、案内装飾１０としての塗料１２を点状に塗布する。また、パネル本体２の下端面に色彩シート５を貼り付ける。そして、外周フレーム３内の基板支持部３ｂに対して照明基板４を、ＬＥＤ４ａが開口部３ａ側を向くように取付支持させた上で、外周フレーム３の長手方向端部から、パネル本体２が開口部３ａを通ると共にパネル本体２の下端に固定された支持部材６の短片６ｂが外周フレーム３の支持溝３ｃ内に挿入されるように外周フレーム３に対してパネル本体２を相対的にスライドさせ、外周フレーム３にパネル本体２を保持させる。その後、外周フレーム３の長手方向両端にカバー７を取付けることで、発光表示パネル１が完成する。
【００３１】
この発光表示パネル１は、組立てた状態とすると、図２に示すように、パネル本体２の下端面（下側の外周面）が、照明基板４のＬＥＤ４ａと対向するようになっている。なお、パネル本体２へのカッティングシート１１の貼り付けや塗料１２の塗布は、パネル本体２を外周フレーム３に保持させた後で行うようにしても良い。
【００３２】
本例の発光表示パネル１は、照明基板４のＬＥＤ４ａを発光させると、ＬＥＤ４ａから放射された光が色彩シート５を通ってパネル本体２の下端面からパネル本体２内へ照射されるようになっている。本例では、ＬＥＤ４ａからの白色の光が、色彩シート５を通過することでパネル本体２内では青色の光となるようになっている。そして、パネル本体２内へ照射された光は、パネル本体２の前面及び後面で略全反射を繰返し、パネル本体２の板面（前面及び後面）から外部へ放射されることなくＬＥＤ４ａとは反対側の上端面側へ進むこととなる。
【００３３】
ところで、本例では、図３に示すように、案内装飾１０としてのカッティングシート１１は、パネル本体２の板面（後面）に貼り付けると、その粘着部１１ｂ（粘着剤）がパネル本体２の板面（後面）に対して点状に粘着するようになっている。また、案内装飾１０としての塗料１２は、点状に塗布するようにしている。これにより、カッティングシート１１の粘着部１１ｂを点状に粘着させたり、塗料１２を点状に塗布したりすると、粘着部１１ｂ（粘着剤）や塗料１２におけるパネル本体２の板面やカッティングシート１１の本体１１ａと接した部位以外の部位が、不均一な面となるので、パネル本体２内へ照射された光が、粘着部１１ｂや塗料１２が付着した点状の部位から粘着部１１ｂや塗料１２の内部へと進入した上で、その不均一な面に到達すると、その面に対する入射角度に応じて様々な方向へ反射したり粘着部１１ｂや塗料１２の外部へ放射されたりすることとなる。
【００３４】
そして、この点状の部位で乱反射したり乱放射されたりした光が、カッティングシート１１の本体１１ａや塗料１２を照らすことで、その光がパネル本体２を通ってその板面（前面）から前方へ放射されることとなり、カッティングシート１１や塗料１２等により形成された案内装飾１０がＬＥＤ４ａによって明るく照らされることとなる。従って、発光表示パネル１の前面に位置した人が、ＬＥＤ４ａによって青色に明るく照らされた案内装飾１０を見ることができるようになっている。
【００３５】
なお、案内装飾１０を照らす色を変更したい場合は、パネル本体２の下端に貼り付けられた色彩シート５を、他の色の色彩シート５と交換することで、簡単に案内装飾１０の発光色（照明色）を変更することができるようになっている。
【００３６】
このように、本実施形態の発光表示パネル１によると、従来のように透明なパネル本体２の表面にサンドブラスト等によって微細な凹凸を形成しなくても、案内装飾１０として所定の形状に切断したカッティングシート１１を貼ったりエアブラシ等で塗料１２を点状に塗布したりするだけで、案内装飾１０を明るく照らすことができ、発光表示パネル１を比較的安価に製造することができる。
【００３７】
また、カッティングシート１１や塗料１２により案内装飾１０を形成しているので、従来のような透明板に凹凸を形成したものと比較して、案内装飾１０を周囲の照明等によっても照らし出すことができ、周囲の明るさに対する影響を少なくして案内装飾１０を見易くすることができる。
【００３８】
更に、パネル本体２の下端面（外周面）に貼り付ける色彩シート５の色を適宜変更することで、発光色の異なるＬＥＤに交換したり高価なフルカラーＬＥＤを用いたりしなくても、案内装飾１０を照らす照明色を簡単に変更して案内装飾１０を所望の色で照らすことができ、発光表示パネル１に係るコストを低減させることができる。
【００３９】
以上、本考案を実施するための一例としての実施形態を挙げて説明したが、本考案は、この実施形態に限定するものではなく、以下に示すように、本考案の要旨を逸脱しない範囲において、種々の改良及び設計の変更が可能である。
【００４０】
すなわち、上記の実施形態では、発光表示パネル１としてパネル本体２の下端を外周フレーム３で保持させると共に、パネル本体２の下端にＬＥＤ４ａを備えた照明基板４を配置したものを示したが、これに限定するものではなく、例えば、パネル本体２の上辺や側辺等を外周フレーム３で保持させると共に、それらの辺に照明基板４を配置するようにしても良く、これにより、ＬＥＤ４ａの数が多くなることで案内装飾１０を明るく照らすことができると共に、パネル本体２を大型化しても案内装飾１０をＬＥＤ４ａによって良好に照らすことができ、上述と同様の作用効果を奏することができる。
【００４１】
また、上記の実施形態では、発光表示パネル１として、前面側からのみ使用（視認）することができるものを示したが、これに限定するものではなく、例えば、案内装飾１０を備えた二つの発光表示パネル１を、透光性の低いシートを挟んで後面同士が向かい合さるように配置するようにしても良く、これにより、前面側及び後面側の何れの側からも案内パネルとして用いることができる。
【００４２】
更に、上記の実施形態では、案内装飾１０としての点状に塗布した塗料１２を、略等間隔で塗布したものを示したが、これに限定するものではなく、点の間隔を任意の不等間隔に塗布するようにしても良く、これにより、グラデーションを有した案内装飾１０とすることができ、審美性に優れた発光表示パネル１（電飾看板）とすることができる。
【００４３】
また、上記の実施形態では、色彩シート５として単色のものを示したが、これに限定するものではなく、例えば、グラデーションを有したものや、多様な色が散りばめられたものを用いても良く、これにより、案内装飾１０の部位によって照明の具合を異ならせたり、照明色を異ならせたりすることができ、より多彩な表現が可能な発光装飾パネル１とすることができる。
【００４４】
また、上記の実施形態では、パネル本体２の後面にのみ案内装飾１０を備えたものを示したが、これに限定するものではなく、例えば、パネル本体２の前面側に案内装飾１０としての塗料１２を点状に塗布するようにしても良く、これにより、多彩な表現が可能な発光装飾パネル１とすることができる。
【符号の説明】
【００４５】
１  発光表示パネル
２  パネル本体
３  外周フレーム
３ａ  開口部
３ｂ  基板支持部
３ｃ  支持溝
３ｄ  止孔部
４  照明基板
４ａ  ＬＥＤ
５  色彩シート
６  支持部材
６ａ  長片
６ｂ  短片
７  カバー
１０  案内装飾
１１  カッティングシート
１１ａ  本体
１１ｂ  粘着部
１２  塗料
【先行技術文献】
【特許文献】
【００４６】
【特許文献１】特開２００９−１６３０７０号公報
【特許文献２】特開２０１０−１０２１８８号公報
【図１】
0003165525.tif 000003
【図２】
0003165525.tif 000004
【図３】
0003165525.tif 000005